(57)【要約】【課題】鉄塔の大きさや架空送電線の電圧などの条件が異なる場合でも、ジャンパー線と鉄塔との間隔を、同一の仮支持装置を用いて広げることができる鉄塔におけるジャンパー線の仮支持装置及びこれを用いた鉄塔の工事方法を提供する。【解決手段】本発明は、架空送電線２を支持している鉄塔３の工事をする際に、鉄塔３とその両側の架空送電線２，２に接続された長大ジャンパー線４との間隔を一時的に広げるための鉄塔におけるジャンパー線の仮支持装置１である。この仮支持装置１は、鉄塔３に着脱自在に固定され長大ジャンパー線４を支持すると共に、伸縮可能な延長アーム５を備えている。延長アーム５の長さを調整することにより、鉄塔３と長大ジャンパー線４との間隔を必要な距離まで広げることができるので、架空送電線２の電圧が変わっても、一種類の仮支持装置１によって対応できる。【選択図】図１
2005304241.tif 000002
【特許請求の範囲】
【請求項１】
架空送電線を支持している鉄塔の工事をする際に、前記鉄塔とその両側の前記架空送電線に接続されたジャンパー線との間隔を一時的に広げるための鉄塔におけるジャンパー線の仮支持装置であって、
前記鉄塔に着脱自在に固定され前記ジャンパー線を支持すると共に、伸縮可能な延長アームを備えていることを特徴とする鉄塔におけるジャンパー線の仮支持装置。
【請求項２】
前記延長アームの先端部を支えるべく、前記鉄塔と前記延長アームの先端部との間に設けられた長尺な吊り上げ部材を備え、
前記吊り上げ部材がその長さを調整可能に構成されていることを特徴とする請求項１に記載の鉄塔におけるジャンパー線の仮支持装置。
【請求項３】
前記鉄塔には、既設のジャンパー線を支持する既設のアームが設けられ、前記延長アームは、前記既設のアーム上に着脱自在に固定される固定アームと、前記固定アームの長手方向に沿って移動可能且つ任意の位置に固定可能な移動アームとを備えていることを特徴とする請求項１または２に記載の鉄塔におけるジャンパー線の仮支持装置。
【請求項４】
架空送電線を支持する鉄塔の工事をする際に、請求項１に記載の鉄塔におけるジャンパー線の仮支持装置を用いて、前記鉄塔と前記ジャンパー線との間隔を一時的に広げることを特徴とする鉄塔の工事方法。
【発明の詳細な説明】
【技術分野】
【０００１】
本発明は、鉄塔におけるジャンパー線の仮支持装置及びこれを用いた鉄塔工事方法に関する。
【背景技術】
【０００２】
鉄塔と、その両側の架空送電線に接続されたジャンパー線との間隔は、比較的接近しているのが一般的である。そのため、架空送電線に充電した状態で、鉄塔を補修したり、同位置で建て替えたりする場合には、鉄塔とジャンパー線との間隔を広げる必要がある。
【０００３】
従来は、図１０に示すように、補修や建て替えの対象となる鉄塔５１から、一定の距離以上離れた場所に、別の鉄塔９１を仮設し、この鉄塔９１に架空送電線５２を移し替えてから、鉄塔５１の補修や建て替えを行っていた。
【０００４】
しかし、上記のように鉄塔５１から離れた場所に鉄塔９１を仮設して、鉄塔５１の工事をする方法では、工費が嵩むと共に工期が長くなるという問題があった。
【０００５】
そこで、従来、鉄塔の補修や同位置への建て替えをする場合、その鉄塔にジャンパー線を支持したままで、鉄塔とジャンパー線との間隔を、架空送電線の電圧に応じて設定される必要な距離まで広げて、鉄塔の工事をする方法が提案されている。
【０００６】
従来、この種の技術としては、架空送電線の鉄塔建て替え方法が提案されている（例えば、特許文献１参照。）。
【０００７】
この鉄塔建て替え方法では、図１１（Ａ），（Ｂ）及び図１２（Ａ），（Ｂ）に示すように、まず既設鉄塔５１のジャンパー線５８を外し、このジャンパー線５８を支持していた腕金５４より長い支持構造物５５を既設鉄塔５１に取付け、腕金５４の両側の架空送電線５２，５２に別のジャンパー線５６を接続する。
【０００８】
次に、図１３（Ａ），（Ｂ）に示すように、ジャンパー線５６を支持構造物５５の先端に設けられたがいし装置５７に取り付けると共に、両側の架空送電線５２，５２にがいし装置５９を接続した状態で電線支持線５３に接続し、この電線支持線５３を既設鉄塔５１から送り出しできるようにして支持する。
【０００９】
次に、がいし装置５９を腕金５４から外して、既設鉄塔５１の両側の隣接鉄塔７１，７１から架空送電線５２，５２を引き寄せ、又は架空送電線５２，５２を既設鉄塔５１に仮止めした状態で、がいし装置５９を腕金５４から外し、がいし装置５９を送り出しの所定位置まで移動させ、架空送電線５２，５２を電線支持線５３，５３の間に取り付けた後、図１４（Ａ），（Ｂ）に示すように、腕金５４より長い支持構造物５５にジャンパー線を取り付け作業空間を確保し、既設鉄塔５１を包み込むようにして新設鉄塔８１を建設し、この新設鉄塔８１の腕金８２にがいし装置５９を介して架空送電線５２を支持した後、既設鉄塔５１を支持構造物５５とともに解体する。
【００１０】
なお、図１１〜図１４中の符号６０ａ，６０ｂは滑車、６１はワイヤ，６２はウィンチ、７２は隣接鉄塔７１のジャンパー線、７３はがいし装置、７４は滑車、７５はワイヤ、７６はウィンチ、７７は腕金である。
【００１１】
従来の架空送電線の建て替え方法によれば、架空送電線５２の活線部分であるジャンパ
ー線５６を鉄塔５１に支持したまま、ジャンパー線５６と鉄塔５１との間隔を必要な距離まで広げることができるので、鉄塔５１から離れた場所に仮の鉄塔を設ける必要がなく、工費の低減及び工期の短縮が可能になる。
【特許文献１】特開２００１−１１２１３１号公報
【発明の開示】
【発明が解決しようとする課題】
【００１２】
しかしながら、従来の架空送電線の鉄塔建て替え方法では、架空送電線５２の電圧に応じて、支持構造物５５の突き出し長さが個別に決められていたため、電圧が異なる場合や、鉄塔５１の両側に延びる架空送電電線５２，５２が、水平面内において１８０度より小さい角度で交差している場合には、支持構造物５５の突き出し長さも変える必要があり、その結果、支持構造物５５の種類が増えるので、その管理が面倒になると共に、支持構造物５５の個別製作が必要になるので、コストアップになるという問題があった。
【００１３】
本発明は、このような問題に鑑みなされたもので、架空送電線の電圧が異なる場合や、鉄塔の両側に延びる架空送電線が水平面内において１８０度よりも小さい角度で交差している場合でも、ジャンパー線と鉄塔との間隔を、同一の仮支持装置を用いて必要な距離まで広げることができる鉄塔におけるジャンパー線の仮支持装置及びこれを用いた鉄塔の工事方法の提供を課題とする。
【課題を解決するための手段】
【００１４】
本発明は、前記課題を解決するため、以下の手段を採用した。すなわち、本発明は、架空送電線を支持している鉄塔の工事をする際に、前記鉄塔とその両側の前記架空送電線に接続されたジャンパー線との間隔を一時的に広げるための鉄塔におけるジャンパー線の仮支持装置であって、前記鉄塔に着脱自在に固定され前記ジャンパー線を支持すると共に、伸縮可能な延長アームを備えていることを特徴とする。
【００１５】
本発明では、延長アームの長さを調整することにより、ジャンパー線と鉄塔との間隔を調整し、所要の作業空間を確保できるので、架空送電線の電圧が異なる場合でも、同一の仮支持装置を使用して鉄塔とジャンパー線との間隔を必要な距離まで広げることができる。
【００１６】
ここで、前記延長アームの先端部を支えるべく、前記鉄塔と前記延長アームの先端部との間に設けられた長尺な吊り上げ部材を備え、前記吊り上げ部材がその長さを調整可能に構成されていることが望ましい。
【００１７】
この場合は、延長アームの長さが変わった場合でも、同一の吊り上げ部材を使用できる。
【００１８】
また、前記鉄塔には、既設の電線及びジャンパー線を支持する既設のアームが設けられ、前記延長アームは、前記既設のアーム上に着脱自在に固定される固定アームと、前記固定アームに対してその長手方向に移動可能、且つ任意の位置に固定可能な移動アームとを備えることが好ましい。これにより、延長アームの伸縮機能を簡単な構成で実現できる。
【００１９】
また、本発明は、架空送電線を支持する鉄塔の工事をする際に、上記の鉄塔におけるジャンパー線の仮支持装置を用いて、前記鉄塔と前記ジャンパー線との間隔を一時的に広げることを特徴とする。本発明によれば、鉄塔工事の工費低減及び工期短縮が可能になる。
【発明の効果】
【００２０】
以上説明したように、本発明によれば、架空送電線の電圧が異なる場合でも、同一の仮
支持装置を使用して鉄塔とジャンパー線との間隔を必要な距離まで広げることができるので、仮支持装置の種類が増えるのを回避でき、これにより、コストダウンが可能になる。
【発明を実施するための最良の形態】
【００２１】
以下、本発明の実施形態を添付した図１から図８に基づいて説明する。
【００２２】
図１に示すように、本発明に係る鉄塔におけるジャンパー線の仮支持装置１は、架空送電線２を支持している鉄塔３の補修工事や、同一位置における鉄塔建て替え工事などをする際に、架空送電線２の電圧に応じて、鉄塔３と架空送電線２の径間に設けられた長大ジャンパー線４との間隔を必要な距離まで広げるものである。
【００２３】
上記の仮支持装置１は、長大ジャンパー線４と、鉄塔３に着脱自在に固定されその先端に長大ジャンパー線４が係止されると共に、伸縮可能な延長アーム５とを備えている。
【００２４】
また、延長アーム５の先端部と鉄塔３との間には、長尺な吊り上げ部材６が架設されている。この吊り上げ部材６によって、延長アーム５の先端側の重量及び荷重が支持される。なお、図１中の符号７は既設のジャンパー線、８は既設のアーム、９は既設のがいし装置、３３は支持線、９ａは支持線３３で径間内に送り出した後のがいし装置の位置である。
【００２５】
次に、上記の各構成について説明する。仮支持装置１を取り付ける前の状態では、鉄塔３の両側の架空送電線２，２に既設のジャンパー線７が接続されている。
【００２６】
この既設のジャンパー線７は、既設のアーム８の先端から２方向に伸びた支持線３３及びがいし装置９を介して取り付けられた送電線２，２同士を、既設のアーム８の下方に必要離間距離を保ちつつ接続している。この既設のジャンパー線７と鉄塔３との間隔は、鉄塔３の工事をする際に必要となる間隔より狭く設定されているので、鉄塔３の建て替え工事をする際には送電停止後、既設のジャンパー線７が撤去されて、鉄塔３から必要な距離まで離れた位置に別の長大ジャンパー線４が設けられる。その後、送電を開始し、送電したまま鉄塔３の建て替え工事が可能となる。
【００２７】
また、既設のアーム８は、そのまま残される。そして、この既設のアーム８上に上記の仮支持装置１が取り付けられる。
【００２８】
延長アーム５は、図２に示すように、鉄塔３の既設のアーム８上に着脱自在に固定されると共に鉄塔３と略直交する固定アーム１０と、この固定アーム１０の長手方向に移動自在に且つ任意の位置に固定可能な移動アーム１１とを備えている。
【００２９】
固定アーム１０は、図３に示すように、一対のアングル１２，１２によって構成されている。これらのアングル１２，１２は、その縦辺部１３，１３を対向させ、且つその間に所定の間隔をあけて、既設のアーム８上に固定されている。
【００３０】
既設のアーム８は、略二等辺三角形の枠状に形成されている。この既設のアーム８のアーム主材８３，８３上には、既設のアーム８の中心線に対して略直交する２個のチャンネル１４，１４が、互いに適宜な間隔をあけて設けられている。
【００３１】
これらのチャンネル１４，１４は、固定治具１５によって既設のアーム８のアーム主材８３，８３に着脱自在に固定されている。
【００３２】
固定アーム１０における両方のアングル１２，１２の横辺部１６，１６には、チャンネ
ル１４に取り付けるための複数のボルト孔１７が設けられている。なお、図３中の符号２５はアングル１２，１２を固定するボルトである。
【００３３】
また、アングル１２，１２の縦辺部１３，１３には、図４に示すように、略水平な同一中心線上に複数の孔１８が設けられている。両方のアングル１２，１２の孔１８，１８は、整合配置されている。なお、図４中の符号８４は、既設のアーム８の先端部を支持するため、鉄塔３と既設のアーム８の先端部分との間に設けられたアーム吊り部材である。
【００３４】
上記の固定治具１５は、図５（Ａ）〜（Ｃ）に示すように、チャンネル１４とアーム主材８３を上下から挟持するアングル４１，４１と、チャンネル１４とアングル形状のアーム主材８３間に挿入されるコ字型部材４２と、アングル４１，４１を締め付けるボルト４３の位置を規制するため、コ字型部材４２に設けられたガイド板４４とを備えている。
【００３５】
図２に示すように、上記の移動アーム１１は、鋼管によって形成されている。この固定アーム１０の一端側はアングル１２，１２間に挿入されている。これにより、移動アーム１１はその長手方向にスライド可能である。また、移動アーム１１には、その両側に突出する脱着可能な複数の足場部材１９が設けられている。足場部材１９としては、例えばボルトを例示できる。
【００３６】
この移動アーム１１は、図４に示すように、アングル１２，１２の孔１８，１８、及び移動アーム１１に設けられた孔（図示せず）に挿入されたボルト２０によって固定されている。
【００３７】
アングル１２，１２の孔１８の位置を変えて、移動アーム１１を固定することにより、移動アーム１１を固定アーム１０に対して伸縮させることができる。これによって、鉄塔３と移動アーム１１の先端に係止される長大ジャンパー線４（図１参照）との間隔を調整できる。
【００３８】
移動アーム１１の中間部分は、固定金具２４によって既設のアーム８の先端部に固定されている。この固定金具２４は、移動アーム１１と既設のアーム８を吊り上げているアーム吊り部材８４とを、上下からアングルなどで挟持するように構成されている。
【００３９】
図３に示すように、固定アーム１０のアングル１２，１２を固定するチャンネル１４，１４の両端部には、補強部材２１，２１が設けられている。また、鉄塔３から遠い方のチャンネル１４の両端部と、移動アーム１１の先端部との間には、振れ止め材４５が設けられている。この振れ止め材４５には、移動アーム１１の先端に固定され多数のボルト孔が設けられた帯状の鋼板と、この鋼板に位置を変えて取り付けるため、多数のボルト孔が設けられた帯状のアジャスト金具（何れも図示せず）と、アジャスト金具に取り付けられた鋼棒２２と、張力を調整するためのターンバックル２３が設けられている。なお、振れ止め部材４５の鋼板及びアジャスト金具は、次に説明する吊り上げ部材６の鋼板２６及びアジャスト金具２７と同様に構成されている。
【００４０】
上記の吊り上げ部材６（図１参照）は、図６に示すように、鉄塔３の移動アーム１１より高い部分と移動アーム１１の先端部との間に設けられている。
【００４１】
この吊り上げ部材６は、移動アーム１１に斜めに固定された鋼板２６と、この鋼板２６の先端に設けられたアジャスト金具２７と、このアジャスト金具２７と鉄塔３の間に設けられた鋼棒２８，２８とを有している。
【００４２】
鋼棒２８，２８には、張力を調整するためのターンバックル２９が設けられている。ま
た、この鋼棒２８の一端部には、図７に示すように、アジャスト金具２７に取り付けるための鋼板３０が設けられている。
【００４３】
アジャスト金具２７には、図８に示すように、複数のボルト孔３１が設けられている。アジャスト金具２７のボルト孔３１の位置を変えて、鋼棒２８に溶接された鋼板３０をボルト４０で締結することによって、吊り上げ部材６の長さを調整することができる。
【００４４】
移動アーム１１の先端には、図８に示すように、がいし装置３２が着脱自在に設けられている。このがいし装置３２は、ジャンパー線支持がいし３５と、ジャンパー線４を把持する把持金具（例えば、丸線クランプ）３４とを有している。
【００４５】
移動アーム１１とがいし装置３２との間には、取付金具３６が取り付けられている。この取付金具３６の両端及び下端には鋼板３７が設けられている。外側の鋼板３７には、その下側に突出する鋼板３８が設けられている。がいし装置３２は、略水平にした状態で鋼板３８に取り付けられている。
【００４６】
なお、がいし装置３２は、図９に示すように、状況に応じて略垂直にした状態で取付金具３６の下端に設けられた鋼板３７に取り付けることもできる。
【００４７】
また、この仮支持装置１を構成する各部材のうち、電気設備技術基準に規定のある鋼板、形鋼（アングル）、平鋼、棒鋼（鋼棒）、鋼管、ボルトは、同基準に適合した材料で形成されている。
【００４８】
このように、本発明の仮支持装置１は、延長アーム５の移動アーム１１が、固定アーム１０に対して鉄塔３から離隔又は接近する方向に伸縮可能であり、且つ任意の位置で固定できる。
【００４９】
これにより、鉄塔３と仮支持装置１の先端に係止されたジャンパー線４との間隔を調整できるので、鉄塔３の大きさや架空送電線２の電圧などの条件が変わった場合でも、同一の仮支持装置１を用いて、鉄塔３とジャンパー線４との間隔を、必要な距離まで広げることができる。
【００５０】
従って、鉄塔３や架空送電線２の電圧などが変わった場合でも、仮支持装置１の種類を増やすことなく、一種類の仮支持装置１で対応できるので、その管理が容易になると共に、コストダウンが可能になる。更に、工費の低減が可能になる。
【００５１】
また、延長アーム５の先端を支持する振れ止め材４５及び吊り上げ部材６も長さを調整できるので、延長アーム５の長さが変わった場合でも、一種類の吊り上げ部材６によって対応でき、その管理及びコストダウンが可能になる。
【００５２】
更に、延長アーム５は、主要部材としてアングルで形成された固定アーム１０と、鋼管で形成された移動アーム１１を使用しているので、構成を簡略化でき、コストダウンが可能になる。
【図面の簡単な説明】
【００５３】
【図１】実施形態に係るジャンパー線の仮支持装置を鉄塔に取り付けた状態を示す斜視図である。
【図２】実施形態に係る仮支持装置を示す上面図であり、図１のＡ矢視図である。
【図３】実施形態に係る既設のアーム及び延長アームの固定アームを示す上面図である。
【図４】実施形態に係る既設のアーム及び延長アームの固定アームを示す側面図であり、図３のＢ矢視図である。
【図５】実施形態に係る固定治具を示す図であり、図５（Ａ）は上面図、図５（Ｂ）は図５（Ａ）のＣ矢視図、図５（Ｃ）は図５（Ｂ）のＤ矢視図である。
【図６】実施形態に係る仮支持装置を示す側面図であり、図２のＥ矢視図である。
【図７】実施形態に係る吊り上げ部材を示す上面図であり、図６のＦ矢視図である。
【図８】実施形態に係るがいし装置を水平に取り付けた状態を示す図である。
【図９】実施形態に係るがいし装置を垂直に取り付けた状態を示す図である。
【図１０】従来例に係る鉄塔工事方法を示す斜視図である。
【図１１】従来例に係る鉄塔建て替え方法を示す図であり、図１１（Ａ）は工事前の状態を示す上面図、図１１（Ｂ）は正面図である。
【図１２】従来例に係る鉄塔建て替え方法を示す図であり、図１２（Ａ）はジャンパー線を取り付けた直後の状態を示す上面図、図１２（Ｂ）は正面図である。
【図１３】従来例に係る鉄塔建て替え方法を示す図であり、図１３（Ａ）はジャンパー線を両側に伸ばした状態を示す上面図、図１３（Ｂ）は正面図である。
【図１４】従来例に係る鉄塔建て替え方法を示す図であり、図１４（Ａ）は既設の鉄塔と新設の鉄塔との関係を示す上面図、図１４（Ｂ）は正面図である。
【符号の説明】
【００５４】
１    仮支持装置
２    架空送電線
３    鉄塔
４    長大ジャンパー線
５    延長アーム
６    吊り上げ部材
７    既設のジャンパー線
８    既設のアーム
９    がいし装置
９ａ    がいし装置
１０    固定アーム
１１    移動アーム
１２    アングル
１３    縦辺部
１４    チャンネル
１５    固定治具
１６    横辺部
１７    ボルト孔
１８    孔
１９    足場部材
２０    ボルト
２１    補強部材
２２    鋼棒
２３    ターンバックル
２４    固定金具
２５    ボルト
２６    鋼板
２７    アジャスト金具
２８    鋼棒
２９    ターンバックル
３０    鋼板
３１    ボルト孔
３２    がいし装置
３３    支持線
３４    把持金具
３５    ジャンパー線支持がいし
３６    取付金具
３７    鋼板
３８    鋼板
４０    ボルト
４１    アングル
４２    コ字型部材
４３    ボルト
４４    ガイド板
４５    振れ止め部材
５１    既設鉄塔
５２    架空送電線
５３    電線支持線
５４    腕金
５５    支持構造物
５６    ジャンパー線
５７    がいし装置
５８    ジャンパー線
５９    がいし装置
６０ａ，６０ｂ    滑車
６１    ワイヤ
６２    ウィンチ
７１    隣接鉄塔
７２    ジャンパー線
７３    がいし装置
７４    滑車
７５    ワイヤ
７６    ウィンチ
７７    腕金
８１    新設鉄塔
８２    腕金
８３    アーム主材
８４    アーム吊り部材
９１    鉄塔
【図１】
2005304241.tif 000003
【図２】
2005304241.tif 000004
【図３】
2005304241.tif 000005
【図４】
2005304241.tif 000006
【図５】
2005304241.tif 000007
【図６】
2005304241.tif 000008
【図７】
2005304241.tif 000009
【図８】
2005304241.tif 000010
【図９】
2005304241.tif 000011
【図１０】
2005304241.tif 000012
【図１１】
2005304241.tif 000013
【図１２】
2005304241.tif 000014
【図１３】
2005304241.tif 000015
【図１４】
2005304241.tif 000016